(57)【要約】【課題】運転中に子供等が不用意にロック状態を解除して運転が停止したり、高温状態の食器類に触れることを防止する食器洗い機を提供する。【解決手段】洗浄槽２側に設けた取っ手２５内に配した取っ手レバー２２と、取っ手レバー２２の動作をロック片１３の開口部１７からの出し入れ動作に伝達する回動軸２３とを備え、取っ手レバー２２は、回動軸２３の軸方向に移動可能に支持され、取っ手レバー２２の移動位置に応じて、取っ手レバー２２と回動軸２３の回転動作を規制または規制解除する構成とすることにより、必要な時に取っ手レバー２２の回動を規制して子供等が不用意にロック状態を解除するのを防止することができる。【選択図】図２
2014069024.tif 000002
【特許請求の範囲】
【請求項１】
食器類を収容する洗浄槽と、前記洗浄槽を前後方向へ移動可能に支持する洗浄機本体と、前記洗浄槽側に出し入れ可能に設けられ、前記洗浄機本体側のロック板と当接することで前記洗浄槽の前記洗浄機本体への収納状態を保持するロック片と、前記洗浄槽側に設けた取っ手内に配した取っ手レバーと、前記取っ手レバーの動作を前記ロック片の出し入れ動作に伝達する回動軸とを備え、前記取っ手レバーは、前記回動軸の軸方向に移動可能に支持され、取っ手レバーの移動位置に応じて、前記取っ手レバーと前記回動軸の回転動作を規制または規制解除する構成とした食器洗い機。
【請求項２】
前記取っ手レバーは、前記取っ手の手掛け形状が浅くなる位置で回転動作を規制する構成とした請求項１に記載の食器洗い機。
【発明の詳細な説明】
【技術分野】
【０００１】
本発明は洗浄ノズルより食器に向けて洗浄水を噴射して食器を洗浄するビルトインタイプの食器洗い機に関するものである。
【背景技術】
【０００２】
従来、この種の食器洗い機は図４〜図７のように構成している（例えば、特許文献１参照）。図４〜図７は、特許文献１に記載された従来の食器洗い機を示すものである。図４〜図７に示すように、システムキッチンに収容され、洗浄機本体１の内部に設けた洗浄槽２は、上方に開口部を設け、内部に食器類３を収容する洗浄かご４を備えている。洗浄かご４の下方には洗浄ノズル５が回転自在に設けられており、洗浄槽２内に溜めた洗浄水を洗浄ポンプ６によって循環させ、洗浄ノズル５より噴射して食器類３を洗浄する。
【０００３】
また、洗浄槽２の下方にはレールなどで構成されるスライド機構７を固定し、洗浄槽２は、このスライド機構７によって前後方向へ平行移動可能に支持されている。食器類３の出し入れを行う際には、使用者は、洗浄槽２を前方に引き出し、開口部より食器類３の収容をする。次に、使用者が洗浄槽２を洗浄機本体１内に戻し、収納すると、洗浄機本体１内の上部空間に待機していた蓋体８が洗浄機本体１内側面に配置したリンク機構等（図示せず）により後方へ移動しつつ降下して洗浄槽２の開口部を閉塞する。
【０００４】
洗浄槽２の前面に設けられた扉９の上方中央には前方より洗浄槽２を引き出す際に手を掛けるための取っ手１０が設けられている。取っ手１０内には、扉９に支持され、上方へ向け回動可能な取っ手レバー１１が設けられている。図５に示すように、取っ手レバー１１が回動する動作角度θ１は、取っ手レバー１１に連結した回動軸１２によって洗浄槽２の側壁方向へ伝達される。また、図６及び図７に示すように、扉９の側壁近傍にはロック片１３を設けており、ロック片１３には垂直方向に軸１４を設け、ロック片１３を上から見て回転自在に取付けている。ロック片１３は洗浄機本体１の側壁内面に設けたロック板１５に当接させるための爪部１６を一体で形成しており、軸１４には扉９の側壁の開口部１７より爪部１６を突出する方向へ付勢するバネ１８を設けている。
【０００５】
ロック片１３の軸１４と爪部１６の間には回動軸１２を挿入するための穴部１９を設けており、回動軸１２の側壁側の端部が穴部１９と連結され、取っ手レバー１１が回動する動きをロック片１３の軸１４まわりの回転動作に変換する。
【０００６】
また、扉９内の取っ手１０の近傍には取っ手レバー１１の動作を検知するための取っ手スイッチ２０を設けるとともに、洗浄機本体１の後方内部に洗浄槽２の収納状態を検知する引き込みスイッチ２１を設け、使用者が運転中に洗浄槽２を引き出そうとしたとき、取っ手レバー１１の回動や、洗浄機本体１に対する洗浄槽２の前後位置を検知し、食器洗い機の運転動作を停止させたり、洗浄槽２を収納していない状態で運転が行えないよう制御したりしている。
【０００７】
食器類３を洗浄槽２内にセットした後、洗浄槽２の前面に設けた扉９を押し、洗浄槽２を洗浄機本体１内に収納するが、洗浄槽２が洗浄機本体１内に完全に収納される直前に扉９の側壁の開口部１７より突出したロック片１３の爪部１６が洗浄機本体１内に設けたロック板１５に当接する。この状態で洗浄槽２をさらに押し込むと、ロック片１３がロック板１５によって軸１４を支点に回転し、一時的に爪部１６が開口部１７の内部に収納され、洗浄槽２が洗浄機本体１内に完全に収納される。洗浄槽２が完全に収納されると、爪部１６がロック板１５を乗り越える為、バネ１８の反発によって再び開口部１７より爪部１
６が突出した状態に戻る。この状態において爪部１６とロック板１５は、洗浄槽２を引張る方向に対してくさび状に引っ掛かる形状となっている為、洗浄機本体１と洗浄槽２がロックされた状態で保持される（図７（ａ）参照）。
【０００８】
運転終了後、食器類３を取り出す場合は、使用者が取っ手１０内に設けた取っ手レバー１１を上方に持ち上げることで、取っ手レバー１１に連結された回動軸１２は支点を中心にθ１の角度で回転する。この角度θ１の回転は、回動軸１２によってロック片１３に伝達され、回動軸１２を支点とする角度θ２の回転に変換される。ロック片１３がθ２の角度で回転することにより、爪部１６が開口部１７の内部に収納され、洗浄機本体１と洗浄槽２のロック状態が解除される。これにより、使用者が取っ手レバー１１を上方に持ち上げている間は、洗浄機本体１に対し洗浄槽２が出し入れ可能な状態となる（図７（ｂ）参照）。
【先行技術文献】
【特許文献】
【０００９】
【特許文献１】特開２０１１−２０６１３０号公報
【発明の概要】
【発明が解決しようとする課題】
【００１０】
しかしながら、前記従来の構成の食器洗い機においては、運転中であっても取っ手レバー１１を持ち上げることで洗浄槽２のロック状態が解除されるため、子供等が不用意にロック状態を解除して運転が停止したり、高温状態の食器類３に触れたりするなどの恐れがあるという課題を有している。
【００１１】
本発明は、上記従来の課題を解決するもので、ロック機構部品を新たに追加せずに必要な時に取っ手レバーの回動を規制して、子供等が不用意にロック状態を解除するのを防止する食器洗い機を提供することを目的とする。
【課題を解決するための手段】
【００１２】
前記従来の課題を解決するために、本発明の食器洗い機は、食器類を収容する洗浄槽と、前記洗浄槽を前後方向へ移動可能に支持する洗浄機本体と、前記洗浄槽側に出し入れ可能に設けられ、前記洗浄機本体側のロック板と当接することで前記洗浄槽の前記洗浄機本体への収納状態を保持するロック片と、前記洗浄槽側に設けた取っ手内に配した取っ手レバーと、前記取っ手レバーの動作を前記ロック片の出し入れ動作に伝達する回動軸とを備え、前記取っ手レバーは、前記回動軸の軸方向に移動可能に支持され、取っ手レバーの移動位置に応じて、前記取っ手レバーと前記回動軸の回転動作を規制または規制解除する構成としたものである。
【００１３】
これによって、ロック機構部品を新たに追加せずに必要な時に取っ手レバーの回動を規制して、子供等が不用意にロック状態を解除するのを防止することができる。
【発明の効果】
【００１４】
本発明の食器洗い機は、ロック機構部品を新たに追加せずに必要な時に取っ手レバーの回動を規制して、子供等が不用意にロック状態を解除するのを防止することができる。
【図面の簡単な説明】
【００１５】
【図１】本発明の実施の形態１における食器洗い機の縦断面図
【図２】本発明の実施の形態１における食器洗い機の要部平面図
【図３】本発明の実施の形態１における食器洗い機の取っ手レバー部断面図
【図４】従来の食器洗い機の縦断面図
【図５】従来の食器洗い機の取っ手レバー部断面図
【図６】従来の食器洗い機の要部斜視図
【図７】従来の食器洗い機の要部平面図
【発明を実施するための形態】
【００１６】
第１の発明は、食器類を収容する洗浄槽と、前記洗浄槽を前後方向へ移動可能に支持する洗浄機本体と、前記洗浄槽側に出し入れ可能に設けられ、前記洗浄機本体側のロック板と当接することで前記洗浄槽の前記洗浄機本体への収納状態を保持するロック片と、前記洗浄槽側に設けた取っ手内に配した取っ手レバーと、前記取っ手レバーの動作を前記ロック片の出し入れ動作に伝達する回動軸とを備え、前記取っ手レバーは、前記回動軸の軸方向に移動可能に支持され、取っ手レバーの移動位置に応じて、前記取っ手レバーと前記回動軸の回転動作を規制または規制解除する構成としたことにより、ロック機構部品を新たに追加せずに必要な時に取っ手レバーの回動を規制して、子供等が不用意にロック状態を解除するのを防止することができる。
【００１７】
第２の発明は、第１の発明の取っ手レバーは、取っ手の手掛け形状が浅くなる位置で回転動作を規制する構成としたことにより、ロック状態で取っ手に手が掛かりにくく、無理に力を加えてロック部分が破損するのを防止することができる。
【００１８】
以下、本発明の実施の形態について、図面を参照しながら説明する。なお、この実施の形態によって本発明が限定されるものではない。
【００１９】
（実施の形態１）
まず、本発明の実施の形態１における食器洗い機の構成について説明する。図１は、本発明の実施の形態１における食器洗い機の縦断面図であり、図２〜図３は、同食器洗い機の取っ手レバー部の構成を示す図である。図１において、システムキッチンに収容され、洗浄機本体１の内部に設けた洗浄槽２は、上方に開口部を設け、内部に食器類３を収容する洗浄かご４を備えている。洗浄かご４の下方には洗浄ノズル５が回転自在に設けられており、洗浄槽２内に溜めた洗浄水を洗浄ポンプ６によって循環させ、洗浄ノズル５より噴射して食器類３を洗浄する。
【００２０】
また、洗浄槽２の下方にはレールなどで構成されるスライド機構７を固定し、洗浄槽２は、このスライド機構７によって前後方向へ平行移動可能に支持されている。食器類３の出し入れを行う際には、使用者は、洗浄槽２を前方に引き出し、開口部より食器類３の収容をする。次に、使用者が洗浄槽２を洗浄機本体１内に戻し、収納すると、洗浄機本体１内の上部空間に待機していた蓋体８が洗浄機本体１内側面に配置したリンク機構等（図示せず）により後方へ移動しつつ降下して洗浄槽２の開口部を閉塞する。
【００２１】
洗浄槽２の前面に設けられた扉９の上方中央には前方より洗浄槽２を引き出す際に手を掛けるための取っ手２５が設けられている。取っ手２５内には、扉９に支持され、上方へ向け回動可能、かつ、左右方向に移動可能な取っ手レバー２２が設けられている。
【００２２】
図２及び図３において、取っ手レバー２２が回動する動作角度θ１は、取っ手レバー２２に連結した回動軸２３によって洗浄槽２の側壁（本実施の形態の場合は左側の側壁）方向へ伝達される。回動軸２３は、断面略円形の線材で形成され、直線状に形成された直線部の中央部分２３ａで取っ手レバー２２に連結され、直線部はその中央部分２３ａから略水平左右方向に洗浄槽２の一方の側壁（本実施の形態の場合は左側の側壁）方向へと伸び、端部２３ｂは斜め下方に折り曲げてロック片１３と連結されている。取っ手レバー２２は、回動軸２３の中央部分２３ａおいて、回動軸２３の長手方向へは移動可能に連結されている。
【００２３】
ロック片１３は、扉９の側壁（本実施の形態の場合は左側の側壁）近傍に設けられており、洗浄槽２を洗浄機本体１内に収納状態に保持する。ロック片１３には垂直方向に軸１４を設け、ロック片１３を上から見て（水平面内で）回転自在に取付けている。ロック片１３は洗浄機本体１の側壁内面に設けたロック板１５に当接、係止させるための爪部１６を一体で形成しており、軸１４には扉９の側壁の開口部１７より爪部１６を突出させる方向へ付勢するバネ１８を設けている。ロック片１３には、軸１４と爪部１６との間に回動軸２３を挿入するための穴部１９を設けており、回動軸２３の側壁側の端部２３ｂが穴部１９と連結され、取っ手レバー２２が角度θ１回動する動きをロック片１３の回転動作に変換する。
【００２４】
以上のように構成することにより、ロック片１３の爪部１６は、取っ手レバー２２の回動動作に連動して、扉９の側壁の開口部１７から洗浄機本体１の側壁方向に出入り動作可能である。
【００２５】
また、扉９内の取っ手２５の近傍には取っ手レバー２２の動作を検知するための取っ手スイッチ２０を設けるとともに、洗浄機本体１の後方内部に洗浄槽２の収納状態を検知する引き込みスイッチ２１を設け、使用者が運転中に洗浄槽２を引き出そうとしたとき、取っ手レバー２２の回動や、洗浄機本体１に対する洗浄槽２の前後位置を検知し、食器洗い機の運転動作を停止させたり、洗浄槽２を収納していない状態で運転が行えないよう制御したりしている。
【００２６】
さらに本発明の実施の形態１の食器洗い機は、取っ手レバー２２は回動軸２３の取付け部に、取っ手２５の側壁（本実施の形態の場合は左側壁）との間に空間２７を設けており、取っ手レバー２２は回動軸２３の長手方向へ移動可能に支持されている。また取っ手レバー２２の側面（本実施の形態の場合は左側面）には凸部２４を、取っ手２５の側壁（本実施の形態の場合は左側壁）には凹部２６をそれぞれ配しており（図２（ａ）および図３（ａ）参照）、取っ手レバー２２を左方向に移動することで凸部２４と凹部２６とを嵌合させることができるよう構成している（図２（ｂ）参照）。
【００２７】
また、凹部２６は、回動軸２３を支点に回転する角度θ１のうち、最も取っ手レバー２２が下方向へ下がる位置にて凸部２４が嵌合するよう配置している（図３（ｂ）参照）。そして、凸部２４が凹部２６に嵌合するこの状態において、取っ手レバー２２の前部に設けられた最下端は、取っ手２５前面の最下端より低い位置もしくはほぼ同じ高さになるよう構成してある。さらに、取っ手レバー２２は、前部の最下端に続く後方部分を奥に向かって上方に傾斜する傾斜面とすることと相俟って、凸部２４が凹部２６に嵌合したロック状態において、取っ手２５内の手掛け部が浅くなり使用者が手を掛けにくくなる形状としてある。
【００２８】
次に、以上のように構成された食器洗い機について、以下その動作及び作用を説明する。なお、食器洗い機の洗浄、すすぎ及び乾燥の各工程における動作及び作用は、従来よく知られた食器洗い機と同様であるので説明は省略し、本発明の特徴ある構成の取っ手レバーの動作及び作用について説明する。
【００２９】
まず、使用者は、食器類３を洗浄槽２内にセットした後、洗浄槽２の前面に設けた扉９を押し、洗浄槽２を洗浄機本体１内に収納する。洗浄槽２が洗浄機本体１内に完全に収納される直前に、扉９の側壁に設けられた開口部１７から突出したロック片１３の爪部１６が洗浄機本体１内に設けたロック板１５に当接する。
【００３０】
この状態で洗浄槽２をさらに押し込むと、ロック片１３がロック板１５によって軸１４
を支点に回転させられ、一時的に爪部１６が開口部１７の内部に変位して収納され、洗浄槽２が洗浄機本体１内に完全に収納される。洗浄槽２が完全に収納されると、爪部１６がロック板１５を乗り越えて後方に位置するため、爪部１６は、バネ１８の反発力によって再び開口部１７より突出した状態に戻る。この状態において爪部１６とロック板１５は、洗浄槽２を前方に引張る方向に対してくさび状に引っ掛かる形状となっているため、洗浄槽２は洗浄機本体１にロックされた状態で保持される（図２（ａ）参照）。
【００３１】
上述したように、食器類３を洗浄槽２内にセットした後に洗浄槽２が洗浄機本体１内に完全に収納され、洗浄機本体１と洗浄槽２がロックされた状態となると、バネ１８の反発によって再び開口部１７より爪部１６が突出した状態に戻るため、取っ手レバー２２は回動軸２３を介し、下方向へ最も下がった位置にて保持される（図３（ｂ）参照）。この状態で取っ手レバー２２を回動軸２３の長手方向左側（空間２７の方向）に移動させ、凸部２４と凹部２６を嵌合させることで、取っ手レバー２２と回動軸２３の回転をロックし、ロック片１３の爪部１６が開口部１７の内部に収納されるのを防止する。
【００３２】
また、運転途中や運転終了後に食器類３を取り出す場合は、逆に、取っ手レバー２２を回動軸２３の長手方向右側に移動させて凸部２４と凹部２６の嵌合を解除した後、取っ手２５の上面内側に当接もしくはそれに近い位置まで取っ手レバー２２を上方に持ち上げることで（図３（ａ）参照）、爪部１６が開口部１７の内部に変位して収納され、洗浄機本体１と洗浄槽２のロック状態が解除される。これにより取っ手レバー２２を上方に持ち上げている間は洗浄機本体１に対し、洗浄槽２が出し入れ可能な状態となる。
【００３３】
以上のように、取っ手レバー２２の移動位置に応じて、取っ手レバー２２と回動軸２３の回転動作を規制または規制解除する構成としたことにより、ロック機構部品を新たに追加せずに必要な時に取っ手レバー２２の回動を規制して、子供等が不用意にロック状態を解除するのを防止することができる。
【００３４】
また、取っ手レバー２２のロック位置を、取っ手レバー２２が最も下方向へ下がる位置にすることで、取っ手２５内の手掛け部が浅くなり手を掛けにくくなるため、無理に力を加えてロック部分が破損するのを防止することができる。
【産業上の利用可能性】
【００３５】
以上のように、本発明にかかる食器洗い機は、取っ手レバーを回動軸の軸方向に移動可能に支持し、取っ手レバーの移動位置に応じて取っ手レバーと回動軸の回転動作を規制可能とすることで、必要な時に取っ手レバーの回動を規制して子供等が不用意にロック状態を解除するのを防止することが可能となるので、洗浄槽を引き出して食器類の出し入れを行うビルトイン型食器洗い機等として有用である。
【符号の説明】
【００３６】
１  洗浄機本体
２  洗浄槽
３  食器類
９  扉
１３  ロック片
１５  ロック板
１６  爪部
１７  開口部
２０  取っ手スイッチ
２１  引き込みスイッチ
２２  取っ手レバー
２３  回動軸
２４  凸部
２５  取っ手
２６  凹部
【図２】
2014069024.tif 000003
【図３】
2014069024.tif 000004
【図５】
2014069024.tif 000005
【図６】
2014069024.tif 000006
【図７】
2014069024.tif 000007
【図１】
2014069024.tif 000008
【図４】
2014069024.tif 000009